(57)【要約】【課題】安価に製造することができる寝具１を得ることにある。【解決手段】ヒーターユニット２は、電力により発熱するヒーター線１３及びこのヒーター線１３が配線された中袋１０を有している。ヒーターユニット２は外カバー３に収容されている。ヒーターユニット２は、中袋１０の内面に布製のヒーターカバー１１を縫い付けて中袋１０とヒーターカバー１１との間に配線部１３を設けている。ヒーター線１２は、配線部１３に配線されている。【選択図】　　図３
2004057366.tif 000002
【特許請求の範囲】
【請求項１】
電力により発熱するヒーター線及びこのヒーター線が配線された中袋を有するヒーターユニットと、このヒーターユニットを収容する外カバーと、を具備しており、前記ヒーターユニットが、前記中袋の内面に布製のヒーターカバーを縫い付けて前記中袋と前記ヒーターカバーとの間に配線部を設け、この配線部に前記ヒーター線を配線して形成されている寝具。
【請求項２】
前記中袋に内包された膨縮可能な空気袋と、この空気袋に空気を給排気する給排気装置とを備えている請求項１に記載の寝具。
【発明の詳細な説明】
【０００１】
【発明の属する技術分野】
本発明は、電力により発熱するヒーター線を備えた、例えばふとんや毛布等の寝具に関する。
【０００２】
【従来の技術】
例えば、ふとんや毛布等の寝具には、従来、電力により発熱するヒーター線を備えたものが知られている。
【０００３】
このような寝具は、ヒーターユニット、中袋、中芯部、及び、外カバー等を具備している。ヒーターユニットは、矩形状の２枚の布とヒーター線とを有している。ヒーターユニットは、重ね合わされた２枚の布を、夫々互いに略平行な複数本の直線状となるように縫い目を形成しながら縫い合わせることで、これら２枚の布の間に筒状に開き得る多数の配線部を設け、これら配線部にわたってヒーター線を蛇行させて配線することで形成されている。このヒーターユニットは、袋状に形成された中袋の使用者側となる一方の内面に縫い付けられている。また、この寝具は、ヒーターユニットが縫い付けられた中袋の内部に中芯部を収容してヒーターユニットを形成し、このヒーターユニットを外カバーの内部に収容することにより形成されている。
【０００４】
【発明が解決しようとする課題】
従来の寝具では、ヒーターユニットを形成し、このヒーターユニットを中袋に縫い付けることで形成されている。そのため、ヒーター線はヒーターユニットを形成する２枚の布と中袋とにより二重に被われていることとなり、布のコストが嵩む。
【０００５】
本発明が解決しようとする課題は、安価に製造することができる寝具を得ることにある。
【０００６】
【課題を解決するための手段】
前記課題を解決するために、請求項１に係る発明の寝具は、外カバーに収容されたヒーターユニットを、中袋と、この中袋の内面に縫い付けられて中袋とヒーターカバーとの間に配線部を設けた布製のヒーターカバーと、この配線部に配線されたヒーター線とで形成している。
【０００７】
この発明の寝具は、中袋の一部を利用し、その内面にヒーターカバーを縫い付けて配線部を設けてヒーター線を配線するようにしたので、使用する布の枚数を少なくすることができる。
【０００８】
【発明の実施の形態】
以下、図１〜図４を参照して本発明の一実施形態を説明する。
【０００９】
本実施形態に係る寝具１は、例えば、マッサージ機能を有するふとんであり、図１に示すように、ヒーターユニット２、外カバー３、中芯部４、操作部９を有する電源コード８、１以上好ましくは複数の空気袋５，６、及び、給排気装置７等を具備している。
【００１０】
ヒーターユニット２は、中袋１０、ヒーターカバー１１、及び、ヒーター線１２等を備えている。中袋１０及びヒーターカバー１１は、例えば、木綿や化学繊維等からなる。ヒーター線１２は、例えばニクロム線等からなる。ヒーターユニット２は、中袋１０の使用者側となる一方の内面に布製のヒーターカバー１１を縫い付けて、中袋１０とヒーターカバー１１との間に配線部１３を設け、この配線部１３にヒーター線１２を配線することで形成されている。
【００１１】
このヒーターユニット２は、図２（Ａ）〜（Ｃ）に示すようにして形成される。中袋１０は、例えば、図２（Ａ）に示すように、仕上り寸法の略２倍の長さを有する矩形状の布を使用して形成することができる。なお、中袋１０は、仕上り寸法と略同形状の布を２枚使用して形成してもよい。ヒーターカバー１１は、中袋１０の仕上り寸法よりも一回り小さい布を使用することができる。
【００１２】
まず、中袋１０を縫製して袋状に形成する前に、ヒーターカバー１１を中袋１０の一方の内面となる面に縫い付ける。このとき、図１及び図２（Ａ）に一点鎖線Ｘで示すように、ヒーターカバー１１の外周に沿ってヒーターカバー１１を中袋１０に縫い付けるとともに、図１及び図２（Ａ）に示すように、ヒーターカバー１１の長手方向に対して略垂直となる方向に、夫々互いに略平行な複数本（図２（Ａ）では５本）の直線状となるように縫い目Ｙを形成しながら縫い付ける。これにより、中袋１０とヒーターカバー１１との間に筒状に開き得る多数の配線部１３を設けられる。
【００１３】
このとき、ヒーターカバー１１を中袋１０の一方の内面となる面に襞を設けることなく重ね合わせ、ヒーター線１２が挿通可能な間隔を設けて直線状に縫い目Ｙを形成しながら縫い合わせることで配線部１３を設けてもよく、また、ヒーターカバー１１の長手方向の長さを長く設定し、図４に示すように、ヒーターカバー１１にヒーター線１２が挿通可能な襞１１ａを設けた状態として、この襞１１ａの両側部に沿って直線状に縫い合わせることで配線部１３を設けてもよい。このようにして設けられた配線部１３にわたってヒーター線１２を蛇行させて配線する。
【００１４】
次に、中袋１０を中表になるように２つ折してその両側を図２（Ｂ）に一点鎖線Ｚで示すように縫い合わせる。このとき、中袋１０は、その一端を開口させているとともに、後述する配管２４を延出させる図示しない配管貫通口が設けられている。
【００１５】
図２（Ｃ）に示すように、中袋１０の一端には、その開口に対応させてファスナー１０ａを取付けることで開閉自在に形成する。中袋１０を裏返して、表側を外側に向ける。ヒーター線１２の両端部を、中袋１０とヒーターカバー１１との間から延出させて、プラグ１２ａに設けられた一対のピン状の端子に夫々接続させる。以上により、ヒーターユニット２が形成される。
【００１６】
外カバー３は、保温機能を高める、或いは、外見の見栄えをよくするため等に用いられる。この外カバー３は、例えば柔軟性を有する布等で形成されている。この外カバー３は、中袋１０と同様に、仕上り寸法の略２倍の長さを有する矩形状の布を２つ折して両側を縫製し、その一端にファスナー３ａを取付けることで、一端が開閉自在の袋状に形成することができる。外カバー３にも、中袋１０と同様に、後述する配管２４を延出させる図示しない配管貫通口が設けられている。
【００１７】
なお、この外カバー３は、例えば麻と綿との混紡により形成された布と起毛を有する布等、異なる２種の布の裏側同士を対向させて縫い合わせたものを用いることで、表裏両面のうちのどちらを外側に向けても使用することができるように形成することもできる。
【００１８】
中芯部４は、例えば、ウレタンや綿等の弾性を有する素材で形成されている。中芯部４の一方の面には、木綿や化学繊維等からなる布が粘着材１６で貼り付けられている。
【００１９】
膨縮可能な空気袋５，６もまた、木綿や化学繊維等からなる布で覆われている。空気袋５，６は夫々、これら空気袋５，６を被う布１４（図３参照）と中芯部４の一方の面に貼り付けられた布１５とを縫製することで、人体の施療部位、例えば肩部と腰部とに対応させて、一対の肩部用空気袋５と腰部用空気袋６とが中芯部４に取付けられている。中芯部４及びこの中芯部４に取付けられた空気袋５，６は、図１及び図３に示すように、中袋１０に収容されている。なお、図３では、肩部用空気袋５を示しているが、腰部用空気袋６も同様に、中芯部４に取付けられて中袋１０に収容されている。
【００２０】
また、これら空気袋５，６は夫々空気を給排気する配管２４と連結している。これら配管２４は中袋１０及び外カバー３に設けられた配管貫通口を夫々貫通して外部に延出しており、その先端部が給排気装置７と連結している。
【００２１】
電源コード８は、一端部に商用電源と接続するプラグ８ａが設けられているとともに、他端部にプラグ１２ａのピン状の端子と接続する雌型の端子を有するプラグ８ｂが設けられている。
【００２２】
また、電源コード８には操作部９が設けられている。この操作部９には、ヒーター線１２への電力の供給を開始或いは停止させるヒーター用電源釦、空気袋５，６の膨縮を開始或いは停止させるマッサージ用電源釦、膨縮させる空気袋５，６を選択する空気袋選択釦、空気袋５，６の内圧を調整することでマッサージ強度を調整するマッサージ用強弱釦等の種々の操作釦９ａが設けられている。
【００２３】
なお、この寝具１には、ヒーター線１２の発熱量を調整できる機能を持たせてもよい。その場合、ヒーター線１２に供給する電力量を調整する制御回路を内蔵させるとともに、ヒーター線１２に供給する電力量をこの制御回路に入力するヒーター用強弱釦を操作部９に設ければよい。さらに、この寝具１には、ヒーター用強弱釦からの入力に適した温度に自動的に調整できる機能を持たせてもよい。その場合、温度センサを設けるとともに、前記制御回路にヒーター用強弱釦からの入力と温度センサで感知した温度とによりヒーター線１２に供給する電力量を自動的に制御する機能を持たせればよい。
【００２４】
操作部９は、後述する制御部２０と電気的に接続されており、空気袋５，６の膨縮或いは内圧は操作部９からの指示によって制御部２０で制御される。
【００２５】
また、プラグ１２ａには、上述したように、ヒーター線１２が電気的に接続されているとともに、給排気装置７が電気的に接続されている。そのため、電源コード８のプラグ８ａを商用電源に接続するとともに、電源コード８のプラグ８ｂをプラグ１２ａに接続することで、商用電源からヒーター線１２だけでなく給排気装置７にも電力が供給される。
【００２６】
この寝具１は、上述のように、マッサージ機能を有している。空気袋５，６は、給排気装置７により空気を給排気されて膨張・収縮する。施療部位である肩部及び腰部は、空気袋５，６の膨張により圧迫され、収縮により弛緩する。この圧迫・弛緩により肩部及び腰部はマッサージされる。
【００２７】
空気袋５，６を駆動させる給排気装置７は、図４に示すように、エアーコンプレッサ２１、空気分配器２２、２つの電磁式圧力調整弁２３ａ，２３ｂ、及び、制御部２０等を備えている。
【００２８】
圧縮空気を生成するエアーコンプレッサ２１には、例えば電磁駆動されるダイアフラム式のものが採用されている。このエアーコンプレッサ２１は、制御部２０と接続しており、制御部２０により運転制御される。エアーコンプレッサ２１の吐出し口は給気管を介して空気分配器２２と連通している。
【００２９】
空気分配器２２は、例えばロータリー式のものが採用されており、エアーコンプレッサ２１と連通する給気口と、空気袋５，６に個別に対応する２つの分配口と、排気口とを有している。この空気分配器２２は、モータ駆動により回転される図示しない分配弁の位置により、給気を必要としている一方の空気袋、すなわち空気袋５或いは空気袋６に対応する位置の分配口を給気口に選択的に連通させると同時に、他方の分配口を排気口に連通させるようになっている。この空気分配器２２は制御部２０と接続しており、制御部２０により給排気動作が制御される。
【００３０】
空気分配器２２の各分配口には、空気袋５，６が夫々送気管を介して個別に連通されている。この接続において、一対の空気袋５は同時に給排気が行なわれるように接続されている。
【００３１】
空気分配器２２の各分配口と各空気袋５，６とを連通する送気管には、空気分配口から吐出される空気の圧力を調整するための圧力調整弁２３ａ，２３ｂが夫々設けられている。これら圧力調整弁２３ａ，２３ｂは夫々制御部２０と接続しており、この開度は、マッサージ用強弱釦からの入力により制御部２０で制御される。
【００３２】
上記構成の寝具１は、以下のようにして使用する。
【００３３】
寝具１を床面等の平坦面に敷く。このとき、ヒーターユニット２側を使用者側、中芯部４側を平坦面側にする。使用者は、肩部用空気袋５及び腰部用空気袋６の位置に肩部及び腰部を夫々対応させて、寝具１上にあお向けになる。
【００３４】
寝具１を温める場合、操作部９のヒーター用電源釦をオンにする。これにより、ヒーター線１２に電力が供給されて発熱する。
【００３５】
また、マッサージを行う場合は、マッサージ用電源釦を操作する。なお、マッサージは、ヒーター線１２に電力が供給されている場合でもされていない場合でも行うことができる。まず、操作部９のマッサージ用電源釦をオンにする。続けて、空気袋選択釦により膨縮させる空気袋を選択する。例えば肩部用空気袋５を選択すると、エアーコンプレッサ２１から肩部用空気袋５に空気が供給され、肩部用空気袋５が繰り返し膨張する。これにより、肩部が圧迫・弛緩されてマッサージされる。腰部用空気袋６を選択した場合も同様に、エアーコンプレッサ２１から腰部用空気袋６に空気が供給され、腰部用空気袋６が繰り返し膨張し、腰部が圧迫・弛緩されてマッサージされる。
【００３６】
以上のように、この寝具１は、中袋１０の内面にヒーターカバー１１を縫い付けて中袋１０とヒーターカバー１１との間に設けた配線部１３にヒーター線１２を配線することでヒーターユニット２を形成し、このヒーターユニット２を外カバー３に収容している。そのため、２枚の布を縫い合わせて設けた配線部にヒーター線を配線することで形成されたヒーターユニットをさらに中袋の内面に縫い付けて収容し、この中袋を外カバーに収容する従来の寝具と比べて、使用する布を１枚少なくすることができる。
【００３７】
また、この寝具１によれば、使用する布だけでなく縫製の回数も少なくすることができる。すなわち、従来の寝具では、製造過程において、ヒーターユニットを構成する２枚の布により配線部を形成する工程、中袋を袋状に形成する工程、ヒーターユニットを中袋に取付ける工程、外カバーを形成する工程の計４回縫製を行う必要がある。この寝具１では、中袋１０にヒーターカバー１１を縫い付けることで配線部１３を設ける工程、中袋１０を袋状に形成する工程、外カバー３を形成する工程の計３回縫製を行えばよく、したがって、製造工程を少なくすることができる。
【００３８】
したがって、この寝具１は、使用する布の枚数を少なくできるとともに、製造工程を少なくできるため、安価に製造できる。
【００３９】
また、この寝具１は、中袋１０に内包された膨縮可能な空気袋５，６と、この空気袋５，６に空気を給排気する給排気装置７とが備えられており、マッサージ機としても使用することができる。なお、この寝具１では、空気袋５，６を肩部及び腰部に対応させて設けたが、空気袋の位置及び数はこれに限定されるものではなく、空気袋は、例えば背中部や腿部等に対応させて設けてもよい。
【００４０】
また、この発明の寝具１では、空気袋５，６及び給排気装置７を省略することができる。その場合、ふとんに限らず、例えば、毛布等にも適用することができる。
【００４１】
【発明の効果】
本発明によれば、安価に製造できる寝具が得られる。
【図面の簡単な説明】
【図１】本発明の一実施形態に係る寝具を分解して示す斜視図。
【図２】図１の寝具が備えるヒーターユニットの製造過程を示しており、（Ａ）は縫製前の中袋にヒーターカバーを縫い付けてヒーター線を配線した状態を示す正面図。（Ｂ）は中袋を中表にして縫製した状態を示す正面図。（Ｃ）はヒーターユニットを示す正面図。
【図３】図１の寝具の一部分を示す断面図。
【図４】図１の寝具が備える空気袋の給排気の制御系統を示すブロック図。
【符号の説明】
１…寝具
２…ヒーターユニット
３…外カバー
５，６…空気袋
７…給排気装置
１０…中袋
１１…ヒーターカバー
１２…ヒーター線
１３…配線部
【図１】
2004057366.tif 000003
【図２】
2004057366.tif 000004
【図３】
2004057366.tif 000005
【図４】
2004057366.tif 000006